(57)【特許請求の範囲】
【請求項１】
複数の負荷の動作を制御する負荷制御手段と、運転が終了したときに音による報知を行う報知手段と、前記負荷制御手段と前記報知手段を制御する制御手段とを有し、前記制御手段は、運転終了の際には、前記負荷制御手段によって前記複数の負荷の動作を停止させ、停止直前まで動作していた前記負荷に設定された惰性動作時間のうち、より大きな惰性動作時間を遅延時間に設定し、前記停止から前記遅延時間をおいて運転終了の報知を行うことを特徴とした食器洗い機。
【請求項２】
複数の負荷の動作を制御する負荷制御手段と、前記負荷の動作を一時停止させる一時停止信号入力手段と、前記負荷が一時停止したときに音による報知を行う報知手段と、前記負荷制御手段と前記報知手段を制御する制御手段とを有し、前記制御手段は、一時停止の入力があった際には、前記負荷制御手段によって前記負荷の動作を停止させ、停止直前まで動作していた前記負荷に設定された惰性動作時間のうち、より大きな惰性動作時間を遅延時間に設定し、前記停止から前記遅延時間をおいて一時停止の報知を行うことを特徴とした食器洗い機。
【請求項３】
複数の負荷の動作を制御する負荷制御手段と、異常状態を検知する異常検知手段と、異常状態を音によって報知する報知手段と、前記負荷制御手段と前記報知手段を制御する制御手段とを有し、何らかの異常を検知した際には、前記負荷制御手段によって負荷の動作を停止させ、停止直前まで動作していた前記負荷に設定された惰性動作時間のうち、より大きな惰性動作時間を遅延時間に設定し、前記停止から前記遅延時間をおいて異常状態を報知することを特徴とした食器洗い機。
【発明の詳細な説明】
【技術分野】
【０００１】
本発明は、機器の動作に対応した報知を、音、特に音声やメロディで行う食器洗い機に関するものである。
【背景技術】
【０００２】
この種の食器洗い機は図４に例示するような構成のものが既に知られている（例えば、特許文献１参照）。このものは、洗浄槽を内蔵した本体ａの前面の開口に例えば上下に開くドアｂ、ｃを有している。ドアｂ、ｃは下側のドアｂに備えたハンドルｄの操作で互いに連動して開閉される。ドアｂ、ｃにより開口を閉じることで洗浄槽を密閉し、洗浄液をポンプによって供給される各所のノズルが種々な向きで洗浄水を噴射しながら回転して洗浄する際の水漏れを防止する。このため、ドアｂ、ｃに閉じ異常があると水漏れを防止できない。そこで、特許文献１はドアｂ、ｃの開閉を下側のドアｂの左右２箇所に対して開閉を検知する検知スイッチｅ、ｆを設けてドア開閉を検知し、ドア閉じ状態に異常があると報知する技術を開示している。特許文献１には報知手段が圧電ブザーであり、これに代るスピーカや発光ダイオードでもよい旨、および１つの検知スイッチにより異常を検知する場合よりも対応が確実である旨、の記載がある。
【特許文献１】特開２０００−３２５２８９号公報
【発明の開示】
【発明が解決しようとする課題】
【０００３】
しかしながら、このようなこれまでの食器洗い機では、状態や動作の変化があると即座に報知を行うため、機器のプログラム上の動作が終了しても排水音が続いていたり、モータ、ノズル、ファンといった負荷が惰性で動作を続けていたりする音との重なりによって聞き取れなかったりすることがあった。機器において操作異常や動作異常の報知は重要であるが、これらの異常報知に一時的な騒音が重なり聞き取りにくくなるのは大きな問題である。なお、ここでは機器とは食器洗い機そのものを表し、負荷とはモータ、ファン、ポンプなどの機械的・電気的に動作する部位を表す。以後も同様。
【０００４】
本発明は上記課題を解決するもので、音による報知内容を確実にユーザーに伝えることを目的としている。
【課題を解決するための手段】
【０００５】
上記のような目的を達成するために、本発明の食器洗い機は、複数の負荷の動作を制御する負荷制御手段と、運転が終了したときに音による報知を行う報知手段と、前記負荷制
御手段と前記報知手段を制御する制御手段とを有し、前記制御手段は、運転終了の際には、前記負荷制御手段によって前記複数の負荷の動作を停止させ、停止直前まで動作していた前記負荷に設定された惰性動作時間のうち、より大きな惰性動作時間を遅延時間に設定し、前記停止から前記遅延時間をおいて運転終了の報知を行うことを特徴としている。
【０００６】
このような報知手順をとれば、負荷制御手段が負荷を停止させた後の惰性動作時間が経過した後に運転終了の報知をするので、負荷の惰性動作による騒音との音の重なりを防止することができる。これによって、特に音声で運転終了を報知する場合などに内容をより正確にユーザーに伝えることが可能になる。また、運転終了の報知にはメロディ音などが使用されることも多く、惰性動作の騒音がより不快に感じられることがある。このような場合も本発明の構成をとることによって、音の重なりによる不快感を感じることがなくなる。負荷の惰性動作時間は、機器の開発・設計段階において予め測定しておくことが可能なため、惰性動作終了から報知までの時間を短く設計するなどで、誤解や違和感を与えることなく報知することができる。
【０００７】
また、本発明の食器洗い機は、複数の負荷の動作を制御する負荷制御手段と、前記負荷の動作を一時停止させる一時停止信号入力手段と、前記負荷が一時停止したときに音による報知を行う報知手段と、前記負荷制御手段と前記報知手段を制御する制御手段とを有し、前記制御手段は、一時停止の入力があった際には、前記負荷制御手段によって前記負荷の動作を停止させ、停止直前まで動作していた前記負荷に設定された惰性動作時間のうち、より大きな惰性動作時間を遅延時間に設定し、前記停止から前記遅延時間をおいて一時停止の報知を行うことを特徴としている。
【０００８】
このような報知手順をとれば、負荷制御手段が負荷を停止させた後の惰性動作時間が経過した後に報知をするので、負荷の惰性動作による騒音との音の重なりを防止することができる。これによって、次に必要な操作内容の案内報知などをより正確にユーザーに伝えることが可能になる。
【０００９】
また、本発明の食器洗い機は、複数の負荷の動作を制御する負荷制御手段と、異常状態を検知する異常検知手段と、異常状態を音によって報知する報知手段と、前記負荷制御手段と前記報知手段を制御する制御手段とを有し、何らかの異常を検知した際には、前記負荷制御手段によって負荷の動作を停止させ、停止直前まで動作していた前記負荷に設定された惰性動作時間のうち、より大きな惰性動作時間を遅延時間に設定し、前記停止から前記遅延時間をおいて異常状態を報知することを特徴としている。
【００１０】
このような報知手順をとれば、異常検知手段が異常を検知した場合、負荷の動作が完全に停止した後に報知をすることができ、負荷の惰性動作による騒音との音の重なりを防止することができる。これによって、異常が発生した箇所や正常状態への復帰方法などの重要な報知内容を、より正確にユーザーに伝えることが可能になる。
【発明の効果】
【００１１】
本発明によれば、負荷動作の停止に続いて音による報知を行う場合に、負荷の惰性動作による騒音との重なりを防ぐことができ、報知内容を正確にユーザーに伝えることができる。
【発明を実施するための最良の形態】
【００１２】
以下、本発明の実施の形態に係る食器洗い機について、図１〜３を参照しながら説明する。なお、以下の説明は本発明の具体例であって特許請求の範囲の記載内容を限定するものではない。
【００１３】
本実施の形態の食器洗い機は既述したような基本構成を有し、図１に示す本体１に食器類を収容して洗浄を行う洗浄槽２を内部に有し、前面には食器類を洗浄槽２に出し入れするためのドア１ａを有した開口１ｂが設けられている。ドア１ａは閉じると開口１ｂまわりに設けた係合部にフック片が弾性係合することで閉じ状態にロックされるようになっており、ハンドルを操作して開くときはそのロックが自動的に解除されるようになっている。
【００１４】
洗浄槽２は給水弁３から洗浄水を供給されて底部に溜める。洗浄槽２の底部に溜めている洗浄水は洗浄ポンプ４によって洗浄槽２内に回転自在に支持されている図示しない洗浄ノズルに供給し、洗浄ノズルからその反力回転を伴い洗浄槽２に収容している食器類に向けて噴出する。洗浄槽２の底部には水位検知手段１０があり洗浄槽２内の水位を検知し、電気信号として出力する。一方、洗浄槽２の底部にはヒータ５が配設され、洗浄水を加熱し洗浄水による洗浄効果を高める。これに併せ、洗浄槽２の底部に外側より密着するように取り付けた図示しないサーミスタなどの温度検知手段９を設けて、洗浄水の水温や洗浄槽２の温度を熱伝導により検知し、それらの温度制御に供する。
【００１５】
また、洗浄槽２の底部内の洗浄水を排出する排水ポンプ６や、洗浄槽２内の蒸気を排気口から本体１外へ送り出し洗浄後の食器を乾燥させる送風ファン７も洗浄槽２のまわりに設けてある。開口１ｂまわりの本体１内にはドア１ａの開閉を検知するドア開閉検知手段８が設けられている。本体１はまた、給水弁３、洗浄ポンプ４、ヒータ５、排水ポンプ６、送風ファン７などを負荷制御手段１１を介して駆動し、洗い、すすぎ、乾燥の各行程を逐次制御する制御装置１２を内蔵している。
【００１６】
このような制御のために、本体１の前面にはドア１ａの下などに図２に示すような操作パネル１３が設けられている。操作パネル１３には電源を「入り」「切り」する電源入りスイッチ１４、電源切りスイッチ１５、運転開始および一時停止を行うスタート入力手段としてのスタートスイッチ１６、コースを設定するコーススイッチ１７、乾燥の時間を設定する乾燥スイッチ１８などを設けた入力手段２１と、それらの操作に応じた表示をＬＥＤなどによって行う操作表示手段２２とが設けられている。
【００１７】
制御装置１２は、マイクロコンピュータ等で構成し、入力手段２１により設定された入力と、ドア開閉検知手段８、温度検知手段９、水位検知手段１０からの入力情報とに応じて、負荷制御手段１１を介し給水弁３、洗浄ポンプ４、ヒータ５、排水ポンプ６、送風ファン７などの負荷と、ＬＥＤなどの操作表示手段２２と、報知手段３１を予め定められたシーケンスに沿って制御する。報知手段３１は通常、ドア開閉検知手段８からのドア開閉情報により検知する閉じ異常、水位検知手段１０からの水位情報により検知する給水異常や排水異常、運転終了などに際して動作させる。これらのために、異常を判定し検知する異常検知手段３２を制御装置１２の内部機能として備えている。なお、負荷制御手段１１や制御装置１２は電源回路１３３にて生成された電源が供給される。
【００１８】
ここで、以上のような食器洗い機の一連の動作について、その概略を説明する。使用者が食器類を食器かごに配置して洗浄槽２に収納し、洗剤を入れ、ドア１ａを閉めた後に電源入りスイッチ１４とスタートスイッチ１６との操作で運転を開始すると、まず洗浄槽２の底部に水位検知手段１０が所定の水位を検知するまで給水弁３から水道水が給水される。そして、洗浄ポンプ４およびヒータ５に通電され、洗浄水は加熱されながら洗浄ポンプ４により食器類に向けて洗浄ノズルから噴出される。
【００１９】
このとき、温度検知手段９により洗浄水の温度を検知し、制御装置１２は常に洗浄水の温度を把握している。洗浄水の温度が所定の温度に到達し、かつ、洗浄開始から所定時間経過したとき、制御装置１２は洗浄行程を終了し、排水ポンプ６に通電して、一旦洗浄水を排水する。
【００２０】
つぎに、新たに水道水が給水され、前述の洗浄行程と同様の動作を数分間行い排水する。このすすぎ行程を数回くり返した後、加熱すすぎ行程と称する洗浄行程と同様の動作を行い、所定温度に到達し、かつ、所定時間経過したとき、これを終了として排水する。最後に送風ファン７を運転して洗浄槽２内の蒸気を機外へ排出すると同時に、ヒータ５に間欠に通電を行うことで食器類を加熱し、付着している水滴を乾燥させる。
【００２１】
このような構成において、異常検知手段３２による異常検知やスタートスイッチ１６による一時停止、さらに機器の運転終了の際に、制御装置１２は報知手段３１を動作させて使用者に報知する。
【００２２】
このような報知が機器からの運転終了時の残音などと重なると使用者に聞き取られ難くなる。また、異常報知が異常時の一時的な音と重なって聞き取られにくくなるのは問題である。
【００２３】
そこで本実施の形態では、以下の手順で報知を行う構成とした。洗浄行程中に異常を検知して、負荷の停止と異常報知を行う場合の例を、図３を使って説明する。
【００２４】
まず、記憶手段４１には給水弁３、洗浄ポンプ４、ヒータ５、排水ポンプ６、送風ファン７の各負荷の惰性動作時間が記憶されている。洗浄行程では、洗浄ポンプ４とヒータ５が通常動作Ｄ０、Ｄ２をしており、異常検知手段３２が機器に異常を検知すると、まず制御装置１２は負荷制御手段１１によって全ての負荷を停止させる。このとき、負荷は直ちに停止せず若干の惰性動作Ｄ１、Ｄ３を伴う。
【００２５】
次に、制御装置１２は、負荷停止条件が発生する直前まで動作していた洗浄ポンプ４とヒータ５の惰性動作時間を記憶手段４１から読み出す。そして、読み出した洗浄ポンプ４の惰性動作時間Ｔｗとヒータ５の惰性動作時間Ｔｈを比較し、より大きなＴｗを遅延時間に設定する。そして、制御装置１２内に備えられた図示しない時間計測手段で遅延時間の経過を確認した後、報知手段３１を動作させて異常内容の報知Ｄ４を行う。
【００２６】
これによれば、異常検知手段３２による異常検知やスタートスイッチ１６による一時停止、さらに運転終了に際して報知手段３１を動作させて使用者に報知する際に、報知手段３１を動作させた音声報知を遅らせ、機器からの音との重なりを回避した報知ができる。
【００２７】
また、負荷ごとに惰性動作時間を記憶しているため、直前の動作状況に応じて遅延時間を設定できるため、負荷の動作停止から音が重複しない最短の時間で報知することができ、遅延時間が長すぎることによる違和感などを生じさせないですむ。
【００２８】
なお、上記の説明は、異常を検知して負荷を停止させる場合について説明したが、正常に動作した後の運転終了においても同様である。
【産業上の利用可能性】
【００２９】
本発明は、食器洗い機における操作や動作状態の音による報知が機器音との重なることがなく、確実に聞き取ることができるので、主婦等が使用する家庭用の食器洗い機等として有用である。
【図面の簡単な説明】
【００３０】
【図１】本発明に係る実施形態の食器洗い機の概略を示すブロック構成図
【図２】同食器洗い機の操作パネルの模式図
【図３】同食器洗い機の報知手順を表す概念図
【図４】従来の食器洗い機を示す斜視図
【符号の説明】
【００３１】
１      本体
１ａ    ドア
１ｂ    開口
２      洗浄槽
３      給水弁
４      洗浄ポンプ
５      ヒータ
６      排水ポンプ
７      送風ファン
８、８ａ、８ｂ  ドア開閉検知手段
９      温度検知手段
１０    水位検知手段
１１    負荷制御手段
１２    制御装置
１３    操作パネル
１６    スタートスイッチ
２１    入力手段
２２    操作表示手段
３１    報知手段
３１ａ  音声報知手段
３１ｂ  メロディ報知手段
３１ｃ  ブザー報知手段
４１    記憶手段
【図１】
0004797765.tif 000002
【図２】
0004797765.tif 000003
【図３】
0004797765.tif 000004
【図４】
0004797765.tif 000005